(57)【要約】【課題】利用者から表示装置までの距離に基づいて、アプリケーションを変更することが可能な表示装置、表示制御方法、および表示制御プログラムを提供する。【解決手段】利用者から表示装置までの距離が検出される（Ｓ１０６、Ｓ１０８）。検出された距離に基づいて、アプリケーション、入力手段、アイコン表示、文字の大きさ、音量、および輝度が選択される（Ｓ１１２〜Ｓ１１７）。選択された音量で音声を出力するように設定され（Ｓ１１８）、選択された入力手段によって動作可能なアプリケーションがディスプレイに表示される（Ｓ１１９）。選択されたアイコン表示に基づいて、アイコンが、ディスプレイに表示または非表示にされる（Ｓ１１９）。選択された輝度と文字との大きさとに基づいて、ディスプレイの輝度の大きさと、ディスプレイに表示される文字の大きさとが調整される（Ｓ１１９）。【選択図】図１０
2011138039.tif 000002
【特許請求の範囲】
【請求項１】
画像を表示する表示手段を備えた表示装置であって、
利用者から前記表示装置までの距離とアプリケーションとが複数対応付けられたデータである第一データを記憶する第一記憶手段と、
前記距離を検出する検出手段と、
前記第一データを参照し、前記検出手段によって検出された前記距離に対応した前記アプリケーションを選択する選択手段と、
前記選択手段によって選択された前記アプリケーションを起動して前記表示手段に表示する画像表示手段と
を備えたことを特徴とする表示装置。
【請求項２】
指示が入力される方法である入力方法がそれぞれ異なる複数の入力手段を備え、
前記第一データにおける前記距離は、前記距離において使用可能な入力手段によって操作することができる前記アプリケーションと対応付けられていることを特徴とする請求項１に記載の表示装置。
【請求項３】
接触されることで指示が入力される接触入力手段を備え、
前記第一データにおける前記距離の所定の範囲である第一範囲は、前記接触入力手段によって操作可能な前記アプリケーションと対応付けられていることを特徴とする請求項１または２に記載の表示装置。
【請求項４】
前記検出手段によって検出された前記距離が、少なくとも前記第一範囲にある場合に、
前記接触入力手段は、前記指示が入力可能に動作し、
前記検出手段によって検出された前記距離が、前記第一範囲の上限より大きい場合に、
前記接触入力手段は動作しないことを特徴とする請求項３に記載の表示装置。
【請求項５】
接触することなく指示が入力される非接触入力手段を備え、
前記第一データにおける前記距離の所定の範囲である第二範囲は、前記非接触入力手段によって操作可能な前記アプリケーションと対応付けられていることを特徴とする請求項１から４のいずれかに記載の表示装置。
【請求項６】
前記検出手段によって検出された前記距離が、少なくとも前記第二範囲にある場合に、
前記非接触入力手段は、前記指示が入力可能に動作し、
前記検出手段によって検出された前記距離が、前記第二範囲の上限より大きい場合に、
前記非接触入力手段は動作しないことを特徴とする請求項５に記載の表示装置。
【請求項７】
前記第一データにおける前記距離の所定の範囲である第三範囲は、操作不要な前記アプリケーションと対応付けられていることを特徴とする請求項１から６のいずれかに記載の表示装置。
【請求項８】
前記検出手段によって前記距離が所定回数連続して検出された場合に、
前記選択手段は、前記第一データを参照し、前記検出手段によって検出された前記距離に対応した前記アプリケーションを選択し、
前記検出手段によって前記距離が所定回数連続して検出されない場合に、
前記選択手段は前記アプリケーションを選択しないことを特徴とする請求項１から７のいずれかに記載の表示装置。
【請求項９】
前記第一データにおける前記距離は、一のアプリケーションおよび他のアプリケーションと対応付けられ、
前記選択手段は、
前記第一データを参照し、前記検出手段によって検出された前記距離に対応した前記一のアプリケーションと前記他のアプリケーションとを選択し、
前記画像表示手段は、
前記選択手段によって選択された前記一のアプリケーションを起動して前記表示手段に表示し、前記他のアプリケーションをアイコンとして前記表示手段に表示することを特徴とする請求項１から８のいずれかに記載の表示装置。
【請求項１０】
前記距離とアイコンの大きさとが対応付けられたデータである第二データを記憶する第二記憶手段を備え、
前記画像表示手段は、
前記第二データを参照し、前記検出手段によって検出された前記距離に対応した前記アイコンの大きさを選択し、選択した前記アイコンの大きさで前記アイコンを前記表示手段に表示することを特徴とする請求項９に記載の表示装置。
【請求項１１】
前記距離と文字の大きさとが対応付けられたデータである第三データを記憶する第三記憶手段を備え、
前記画像表示手段は、
前記第三データを参照し、前記検出手段によって検出された前記距離に対応した前記文字の大きさを選択し、選択した前記文字の大きさで前記文字を前記表示手段に表示することを特徴とする請求項１から１０のいずれかに記載の表示装置。
【請求項１２】
音声を出力するスピーカと、
前記距離と前記スピーカから出力される音声の音量とが対応付けられたデータである第四データを記憶する第四記憶手段と、
前記第四データを参照し、前記検出手段によって検出された前記距離に対応した前記音量を選択し、選択した前記音量で前記スピーカから前記音声を出力する出力手段と
を備えたことを特徴とする請求項１から１１のいずれかに記載の表示装置。
【請求項１３】
前記距離と前記表示手段の輝度とが対応付けられたデータである第五データを記憶する第五記憶手段と、
前記第五データを参照し、前記検出手段によって検出された前記距離に対応した前記輝度を選択し、選択した輝度に前記表示手段の前記輝度を設定する輝度設定手段と
を備えたことを特徴とする請求項１から１２のいずれかに記載の表示装置。
【請求項１４】
画像を表示する表示手段を備えた表示装置において実行される表示制御方法であって、
前記距離を検出する検出ステップと、
利用者から前記表示装置までの距離とアプリケーションとが複数対応付けられたデータである第一データを記憶する第一記憶手段に記憶された前記第一データを参照し、前記検出ステップによって検出された前記距離に対応した前記アプリケーションを選択する選択ステップと、
前記選択ステップによって選択された前記アプリケーションを起動して前記表示手段に表示する画像表示ステップと
を備えたことを特徴とする表示制御方法。
【請求項１５】
画像を表示する表示手段を備えた表示装置において実行される表示制御プログラムであって、
コンピュータに、
前記距離を検出する検出ステップと、
利用者から前記表示装置までの距離とアプリケーションとが複数対応付けられたデータである第一データを記憶する第一記憶手段に記憶された前記第一データを参照し、前記検出ステップによって検出された前記距離に対応した前記アプリケーションを選択する選択ステップと、
前記選択ステップによって選択された前記アプリケーションを起動して前記表示手段に表示する画像表示ステップと
を実行させることを特徴とする表示制御プログラム。
【発明の詳細な説明】
【技術分野】
【０００１】
本発明は、画像を表示する表示手段を備えた表示装置、表示制御方法、および表示制御プログラムに関する。
【背景技術】
【０００２】
従来、画面の表示濃度と輝度とを調整することが可能な表示装置が知られている。例えば、特許文献１に記載の表示装置は、ＣＣＤカメラで利用者を撮影し、撮影した画像データから、利用者と表示装置との間の測定距離データを出力する。そして、測定距離データから利用者が表示画面を見る角度および方向を算出し、その算出値に応じて、利用者が表示画面を見る角度および方向に対応した表示濃度および表示輝度を設定する。このため、利用者の姿勢が変わった場合に、利用者が表示画面を見る角度および方向に対応するように、画面の表示濃度と表示輝度との調整を自動で行うことができる。
【先行技術文献】
【特許文献】
【０００３】
【特許文献１】特開平１１−９５７３８号公報
【発明の概要】
【発明が解決しようとする課題】
【０００４】
しかしながら、この表示装置では、利用者の位置に基づいて、利用者が表示画面を確認しやすいように、表示濃度と表示輝度との設定はできるが、利用者から表示装置までの距離に基づいて、アプリケーションを変更することができなかった。
【０００５】
本発明は、利用者から表示装置までの距離に基づいて、アプリケーションを変更することが可能な表示装置、表示制御方法、および表示制御プログラムを提供することを目的とする。
【課題を解決するための手段】
【０００６】
本発明の第１の態様に係る発明の表示装置は、画像を表示する表示手段を備えた表示装置であって、利用者から前記表示装置までの距離とアプリケーションとが複数対応付けられたデータである第一データを記憶する第一記憶手段と、前記距離を検出する検出手段と、前記第一データを参照し、前記検出手段によって検出された前記距離に対応した前記アプリケーションを選択する選択手段と、前記選択手段によって選択された前記アプリケーションを起動して前記表示手段に表示する画像表示手段とを備えている。
【０００７】
この場合、検出手段によって検出された利用者から表示装置までの距離に対応したアプリケーションが選択され、選択されたアプリケーションが表示手段に表示される。つまり、利用者から表示装置までの距離に基づいて、アプリケーションが自動で変更される。
【０００８】
前記表示装置は、指示が入力される方法である入力方法がそれぞれ異なる複数の入力手段を備え、前記第一データにおける前記距離は、前記距離において使用可能な入力手段によって操作することができる前記アプリケーションと対応付けられていてもよい。
【０００９】
この場合、選択手段は、検出手段によって検出された利用者から表示装置までの距離において使用可能な入力手段によって操作することができるアプリケーションを選択する。そして、選択手段によって選択されたアプリケーションが表示手段に表示される。例えば、利用者から表示装置までの距離に適した入力手段によって操作可能なアプリケーションを自動で表示することができる。よって、利用者がアプリケーションを選択する作業が軽減される。
【００１０】
前記表示装置は、接触されることで指示が入力される接触入力手段を備え、前記第一データにおける前記距離の所定の範囲である第一範囲は、前記接触入力手段によって操作可能な前記アプリケーションと対応付けられていてもよい。
【００１１】
この場合、検出手段によって検出された距離が第一範囲であれば、選択手段は、接触入力手段によって操作可能なアプリケーションを選択する。そして、選択手段によって選択されたアプリケーションが表示手段に表示される。つまり、検出手段によって検出された距離が第一範囲であれば、接触入力手段によって操作可能なアプリケーションが、自動で表示される。例えば、利用者の手が表示装置に届く範囲が第一範囲として設定されている場合、接触入力手段によって操作可能なアプリケーションが自動で表示されるため、利用者がアプリケーションを選択する作業が軽減される。
【００１２】
前記表示装置において、前記検出手段によって検出された前記距離が、少なくとも前記第一範囲にある場合に、前記接触入力手段は、前記指示が入力可能に動作し、前記検出手段によって検出された前記距離が、前記第一範囲の上限より大きい場合に、前記接触入力手段は動作しなくてもよい。
【００１３】
この場合において、利用者と表示装置との間の距離が第一範囲の上限より大きい場合、接触入力手段は動作しない。このため、消費電力を低減することができる。
【００１４】
前記表示装置は、接触することなく指示が入力される非接触入力手段を備え、前記第一データにおける前記距離の所定の範囲である第二範囲は、前記非接触入力手段によって操作可能な前記アプリケーションと対応付けられていてもよい。
【００１５】
この場合、検出手段によって検出された距離が第二範囲であれば、選択手段は、非接触入力手段によって操作可能なアプリケーションを選択する。そして、選択手段によって選択されたアプリケーションが表示手段に表示される。つまり、検出手段によって検出された距離が第二範囲であれば、非接触入力手段によって操作可能なアプリケーションが、自動で表示される。例えば、利用者の手が表示装置に届かない範囲が第二範囲として設定されている場合、非接触入力手段によって操作可能なアプリケーションが自動で表示されるため、利用者がアプリケーションを選択する作業が軽減される。
【００１６】
前記表示装置において、前記検出手段によって検出された前記距離が、少なくとも前記第二範囲にある場合に、前記非接触入力手段は、前記指示が入力可能に動作し、前記検出手段によって検出された前記距離が、前記第二範囲の上限より大きい場合に、前記非接触入力手段は動作しなくてもよい。
【００１７】
この場合において、利用者と表示装置との間の距離が第二範囲の上限より大きい場合、非接触入力手段は動作しない。このため、消費電力を低減することができる。
【００１８】
前記表示装置において、前記第一データにおける前記距離の所定の範囲である第三範囲は、操作不要な前記アプリケーションと対応付けられていてもよい。
【００１９】
この場合、検出手段によって検出された距離が第三範囲であれば、選択手段は、操作不要なアプリケーションを選択する。そして、選択手段によって選択されたアプリケーションが表示手段に表示される。つまり、検出手段によって検出された距離が第三範囲であれば、操作不要なアプリケーションが、自動で表示される。例えば、利用者と表示装置とが大きく離れている範囲が第三範囲として設定されている場合、利用者が操作する必要のないアプリケーションが自動で表示される。
【００２０】
前記表示装置において、前記検出手段によって前記距離が所定回数連続して検出された場合に、前記選択手段は、前記第一データを参照し、前記検出手段によって検出された前記距離に対応した前記アプリケーションを選択し、前記検出手段によって前記距離が所定回数連続して検出されない場合に、前記選択手段は前記アプリケーションを選択しなくてもよい。
【００２１】
この場合、所定回数連続して検出された場合にのみ、アプリケーションが選択される。このため、例えば、人が表示装置の前を通過しただけの場合には、距離が所定回数連続して検出されないので、選択手段によってアプリケーションが選択されない。
【００２２】
前記表示装置において、前記第一データにおける前記距離は、一のアプリケーションおよび他のアプリケーションと対応付けられ、前記選択手段は、前記第一データを参照し、前記検出手段によって検出された前記距離に対応した前記一のアプリケーションと前記他のアプリケーションとを選択し、前記画像表示手段は、前記選択手段によって選択された前記一のアプリケーションを起動して前記表示手段に表示し、前記他のアプリケーションをアイコンとして前記表示手段に表示してもよい。
【００２３】
この場合、一のアプリケーションを表示手段に表示しつつ、他のアプリケーションをアイコンとして表示できる。これによって、利用者は、アイコンを選択することによって他のアプリケーションを選択することができる。
【００２４】
前記表示装置は、前記距離とアイコンの大きさとが対応付けられたデータである第二データを記憶する第二記憶手段を備え、前記画像表示手段は、前記第二データを参照し、前記検出手段によって検出された前記距離に対応した前記アイコンの大きさを選択し、選択した前記アイコンの大きさで前記アイコンを前記表示手段に表示してもよい。
【００２５】
この場合、利用者と表示装置との間の距離に応じて、アイコンの大きさが設定される。例えば、利用者と表示装置との距離が大きい場合には、アイコンを大きくし、距離が小さいときには、アイコンを小さくするように設定できる。
【００２６】
前記表示装置は、前記距離と文字の大きさとが対応付けられたデータである第三データを記憶する第三記憶手段を備え、前記画像表示手段は、前記第三データを参照し、前記検出手段によって検出された前記距離に対応した前記文字の大きさを選択し、選択した前記文字の大きさで前記文字を前記表示手段に表示してもよい。
【００２７】
この場合、利用者と表示装置との間の距離に応じて、文字の大きさが設定される。例えば、利用者と表示装置との距離が大きい場合には、文字を大きくし、距離が小さいときには、文字を小さくするように設定できる。
【００２８】
前記表示装置は、音声を出力するスピーカと、前記距離と前記スピーカから出力される音声の音量とが対応付けられたデータである第四データを記憶する第四記憶手段と、前記第四データを参照し、前記検出手段によって検出された前記距離に対応した前記音量を選択し、選択した前記音量で前記スピーカから前記音声を出力する出力手段とを備えてもよい。
【００２９】
この場合、利用者と表示装置との間の距離に応じて、音量が設定される。例えば、利用者と表示装置との距離が大きい場合には、音量を大きくし、距離が小さいときには、音量を小さくするように設定できる。
【００３０】
前記表示装置は、前記距離と前記表示手段の輝度とが対応付けられたデータである第五データを記憶する第五記憶手段と、前記第五データを参照し、前記検出手段によって検出された前記距離に対応した前記輝度を選択し、選択した輝度に前記表示手段の前記輝度を設定する輝度設定手段とを備えてもよい。
【００３１】
この場合、利用者と表示装置との間の距離に応じて、表示手段の輝度が設定される。例えば、利用者と表示装置との距離が大きい場合には、輝度を大きくし、距離が小さいときには、輝度を小さくするように設定できる。
【００３２】
本発明の第２の態様に係る発明の表示制御方法は、画像を表示する表示手段を備えた表示装置において実行される表示制御方法であって、前記距離を検出する検出ステップと、利用者から前記表示装置までの距離とアプリケーションとが複数対応付けられたデータである第一データを記憶する第一記憶手段に記憶された前記第一データを参照し、前記検出ステップによって検出された前記距離に対応した前記アプリケーションを選択する選択ステップと、前記選択ステップによって選択された前記アプリケーションを起動して前記表示手段に表示する画像表示ステップとを備えている。
【００３３】
この場合、検出手段によって検出された利用者から表示装置までの距離に対応したアプリケーションが選択され、選択されたアプリケーションが表示手段に表示される。つまり、利用者から表示装置までの距離に基づいて、アプリケーションが変更される。
【００３４】
本発明の第３の態様に係る発明の表示制御プログラムは、画像を表示する表示手段を備えた表示装置において実行される表示制御プログラムであって、コンピュータに、前記距離を検出する検出ステップと、利用者から前記表示装置までの距離とアプリケーションとが複数対応付けられたデータである第一データを記憶する第一記憶手段に記憶された前記第一データを参照し、前記検出ステップによって検出された前記距離に対応した前記アプリケーションを選択する選択ステップと、前記選択ステップによって選択された前記アプリケーションを起動して前記表示手段に表示する画像表示ステップとを実行させる。
【００３５】
この場合、検出手段によって検出された利用者から表示装置までの距離に対応したアプリケーションが選択され、選択されたアプリケーションが表示手段に表示される。つまり、利用者から表示装置までの距離に基づいて、アプリケーションが変更される。
【図面の簡単な説明】
【００３６】
【図１】表示装置１の物理的構成を示す模式図である。
【図２】表示装置１の電気的構成を示す模式図である。
【図３】フラッシュメモリ２４の記憶領域を示す模式図である。
【図４】第一データテーブル４１を示す模式図である。
【図５】入力手段データテーブル４２を示す模式図である。
【図６】第二データテーブル４３を示す模式図である。
【図７】第三データテーブル４４を示す模式図である。
【図８】第四データテーブル４５を示す模式図である。
【図９】第五データテーブル４６を示す模式図である。
【図１０】メイン処理を示すフローチャートである。
【図１１】ディスプレイ１１に表示される画像の一例を示す図である。
【図１２】ディスプレイ１１に表示される画像の一例を示す図である。
【図１３】ディスプレイ１１に表示される画像の一例を示す図である。
【発明を実施するための形態】
【００３７】
以下、本発明に係る表示装置の一実施の形態について、図面を参照して説明する。なおこれらの図面は、本発明が採用しうる技術的特徴を説明するために用いられるものであり、記載されている装置の構成、各種処理のフローチャートなどは、それのみに限定する趣旨ではなく、単なる説明例である。
【００３８】
図１を参照し、表示装置１の概要について説明する。表示装置１は、ディスプレイに様々なアプリケーションを表示することができる。表示装置１は、例えば、家具等の上に設置されたり、壁等に掛けられたりする。表示装置１は、公衆回線網に接続され、他の端末との間で通信を行うことができる。表示装置１は、インターネット網に接続され、各種の情報を送受信することができる。
【００３９】
図１に示すように、表示装置１は、左右方向を長手方向とする正面視略長方形を有しており、略中央にディスプレイ１１を備えている。ディスプレイ１１の前面には、タッチパネル１２（図２参照）が備えられている。利用者は、ディスプレイ１１に表示される様々な情報を視認しながら、タッチパネル１２に触れることによって、表示装置１に指示を入力することができる。表示装置１は、ディスプレイ１１の上側に、利用者から表示装置１までの距離を測定可能な超音波センサ１３を備えている。表示装置１は、ディスプレイ１１の下側に、マイク１６とスピーカ１４とリモコン受信部１５とを備えている。利用者は、マイク１６やスピーカ１４を介して、他の利用者と音声通話を行うことができる。また、利用者は、リモコン（図示せず）を使用して、赤外線通信によって、リモコン受信部１５を介して表示装置１に指示を入力することができる。表示装置１は、内蔵された電池３４（図２参照）から供給される電力や、ＡＣアダプタを介してＡＣ電源によって供給される電力によって駆動する。ディスプレイ１１に表示されるアプリケーション等については、後述する。
【００４０】
図２および図３を参照し、表示装置１の電気的構成について説明する。図２に示すように、表示装置１は、ＣＰＵ２１とＲＯＭ２２とＲＡＭ２３とフラッシュメモリ２４とを備えている。ＣＰＵ２１は、表示装置１の、各種の制御処理を司る。ＣＰＵ２１はＲＯＭ２２、ＲＡＭ２３、およびフラッシュメモリ２４と電気的に接続されている。ＣＰＵ２１はＲＯＭ２２、ＲＡＭ２３、およびフラッシュメモリ２４の記憶領域にアクセスできる。
【００４１】
ＲＯＭ２２は、プログラム記憶領域２２１とその他の情報記憶領域２２２とを少なくとも備えている。プログラム記憶領域２２１には、ＣＰＵ２１が各種の処理等を実行するために必要なプログラムデータが記憶されている。
【００４２】
ＲＡＭ２３は、検出距離記憶領域２３１と設定記憶領域２３２とその他の情報記憶領域２３３とを少なくとも備えている。検出距離記憶領域２３１には、Ｓ１０６の処理（図１０参照、後述）によって検出され、Ｓ１０８の処理（図１０参照、後述）によって利用者から表示装置１までの距離ｋであると確定された距離ｋが記憶される。設定記憶領域２３２には、後述するＳ１１２〜Ｓ１１７の処理（図１０参照）によって、選択される各種の設定が記憶される。
【００４３】
図３に示すように、フラッシュメモリ２４は、設置環境記憶領域２４１、第一データテーブル記憶領域２４２、第二データテーブル記憶領域２４３、第三データテーブル記憶領域２４４、第四データテーブル記憶領域２４５、第五データテーブル記憶領域２４６、入力手段データテーブル記憶領域２４７、およびその他の情報記憶領域２４８を少なくとも備えている。
【００４４】
設置環境記憶領域２４１には、後述する設置環境距離が記憶される。第一データテーブル記憶領域２４２には、後述する第一データテーブル４１が記憶される。第二データテーブル記憶領域２４３には、後述する第二データテーブル４３が記憶される。第三データテーブル記憶領域２４４には、後述する第三データテーブル４４が記憶される。第四データテーブル記憶領域２４５には、後述する第四データテーブル４５が記憶される。第五データテーブル記憶領域２４６には、後述する第五データテーブル４６が記憶される。入力手段データテーブル記憶領域２４７には、後述する入力手段データテーブル４２が記憶される。
【００４５】
図２に示すように、表示装置１は、メモリカードスロット２５を備えている。メモリカードスロット２５には、メモリカード２６が挿入される。メモリカード２６は、写真データ記憶領域２６１、オーディオ記憶領域２６２、およびその他の情報記憶領域２６３を少なくとも備えている。写真データ記憶領域２６１には、後述するスライドショーモード等において、ディスプレイ１１に表示される写真のデータが記憶される。オーディオ記憶領域２６２には、後述するオーディオ再生モードにおいて、再生される音楽のデータが記憶されている。ＣＰＵ２１はメモリカードスロット２５を介してメモリカード２６と電気的に接続する。ＣＰＵ２１は、メモリカード２６の記憶領域にアクセスできる。
【００４６】
表示装置１は、公衆回線網やインターネット網に接続して通信を行う有線通信部２７を備えている。ＣＰＵ２１は有線通信部２７と電気的に接続している。ＣＰＵ２１は、公衆回線網やインターネット網を介して通信データの送受信を行うことができる。
【００４７】
表示装置１は、音声が入力されるマイク１６、音声が出力されるスピーカ１４、音声信号と電気信号との間の変換制御を司る音声ドライバ２８を備えている。ＣＰＵ２１は音声ドライバ２８と電気的に接続している。音声ドライバ２８は、マイク１６及びスピーカ１４と電気的に接続している。ＣＰＵ２１は、マイク１６を介して入力された音声を認識することができる。ＣＰＵ２１は、スピーカ１４から所望の音声を出力させることができる。
【００４８】
表示装置１は、ディスプレイ１１と、ディスプレイ１１の表示駆動制御を司る表示ドライバ２９とを備えている。ＣＰＵ２１は表示ドライバ２９と電気的に接続している。表示ドライバ２９とディスプレイ１１とは電気的に接続している。ＣＰＵ２１は、ディスプレイ１１に所望の画像を表示させることができる。
【００４９】
表示装置１は、利用者からの指示が入力されるタッチパネル１２と、タッチパネル１２の駆動制御を司るタッチパネルドライバ３０とを備えている。ＣＰＵ２１はタッチパネルドライバ３０と電気的に接続している。ＣＰＵ２１は、タッチパネル１２を介して入力された利用者の指示を認識することができる。
【００５０】
表示装置１は、リモコン（図示せず）を介して利用者からの指示が入力されるリモコン受信部１５と、リモコン受信部１５の駆動制御を司るリモコンドライバ３１とを備えている。ＣＰＵ２１は、リモコンドライバ３１と電気的に接続している。ＣＰＵ２１は、リモコンおよびリモコン受信部１５を介して入力された利用者の指示を認識することができる。
【００５１】
表示装置１は、距離を検出するための超音波センサ１３を備えている。また、表示装置１は、超音波センサ１３の駆動制御を司るセンサ制御部３２を備えている。センサ制御部３２は、超音波センサ１３を制御し、超音波を出力する出力モードと、出力した超音波が物体に当たって反射した超音波である反射波を受信する受信モードとを切り替えることができる。ＣＰＵ２１は、センサ制御部３２と超音波センサ１３とに接続されている。ＣＰＵ２１は、出力モードに設定された超音波センサ１３から超音波を出力することができる。また、ＣＰＵ２１は、受信モードに設定された超音波センサ１３で受信された超音波を認識することができる。
【００５２】
表示装置１、タイマ３３を備えている。ＣＰＵ２１は、タイマ３３と電気的に接続している。ＣＰＵ２１は、タイマ３３を利用して、時刻をディスプレイ１１に表示したり、時間を測定したりすることができる。
【００５３】
表示装置１は、電池３４と、電池３４から供給された電力を他の回路に供給する電源制御部３５とを備えている。上述のＣＰＵ２１やその他の各種デバイスは、電源制御部３５を介して電池３４によって供給される電力によって駆動する。なお、表示装置１は、ＡＣアダプタと接続され、ＡＣ電源からの電力を表示装置１に供給するためのジャックを備えているが図示を省略している。表示装置１は、ＡＣ電源から供給される電力によっても駆動することができる。
【００５４】
次に、図４〜図９を参照して、各種のデータテーブル４１〜４６について説明する。データテーブル４１〜４６に登録されている情報は、利用者が任意に設定することが可能である。
【００５５】
まず、図４を参照して、第一データテーブル４１の一例について説明する。第一データテーブル４１は、フラッシュメモリ２４の第一データテーブル記憶領域２４２（図３参照）に記憶されている。図４に示すように、第一データテーブル４１には、利用者から表示装置１までの距離ｋと、アプリケーションとが対応付けられて登録されている。第一データテーブル４１に登録されているアプリケーションは、メイン表示部５２（図１１〜図１３参照、後述）に表示されるメインアプリケーションと、アイコン表示部５１（図１１〜図１２参照）にアイコンとして表示されるアイコン表示アプリケーションとで構成されている。アイコン表示アプリケーションは、優先順位が付けられている。アイコン表示アプリケーションを、優先順位の順に、「第一優先」、「第二優先」、「第三優先」という。なお、優先順位は、第一〜第三優先の３個に限られず、例えば、第一〜第六優先の６個にしてもよい。
【００５６】
利用者から表示装置１までの距離ｋは、０≦ｋ≦１００ｃｍと、１００ｃｍ＜ｋ≦３００ｃｍと、ｋ＞３００ｃｍとに区切られている。そして、区切られた距離ｋが、アプリケーションと対応付けられている。０≦ｋ≦１００ｃｍは、メインアプリケーション「手書きモード」、第一優先「写真加工モード」、第二優先「電話モード」、および第三優先「スケジュールモード」に対応付けられている。また、１００ｃｍ＜ｋ≦３００ｃｍは、メインアプリケーション「受信ＦＡＸ表示モード」、第一優先「オーディオ再生モード」、第二優先「動画再生モード」、および第三優先「文字ニュースモード」に対応付けられている。また、ｋ＞３００ｃｍは、メインアプリケーション「スライドショーモード」に対応付けられている。なお、図４において、アプリケーションが登録されていない欄は、「―」と表示している。
【００５７】
０≦ｋ≦１００ｃｍに対応付けられている各アプリケーションは、すべて、利用者がタッチパネル１２を使用することによって、操作することができるアプリケーションである。０≦ｋ≦１００ｃｍの範囲では、利用者がタッチパネル１２に手が届く。つまり、利用者がタッチパネル１２を使用することができる。このため、０≦ｋ≦１００ｃｍの範囲では、利用者が使用することができる入力手段であるタッチパネル１２によって操作可能なアプリケーションが登録されている。これによって、利用者から表示装置１までの距離が、０≦ｋ≦１００ｃｍの場合には、後述するＳ１１９の処理（図１０参照）によって、自動でタッチパネル１２によって操作可能なアプリケーションが表示される。なお、０≦ｋ≦１００ｃｍに対応付けられている各アプリケーションは、リモコンによっても操作可能である。
【００５８】
また、１００ｃｍ＜ｋ≦３００ｃｍに対応付けられている各アプリケーションは、すべて、利用者がリモコンを使用することによって、操作することができるアプリケーションである。１００ｃｍ＜ｋ≦３００ｃｍの範囲では、利用者は、タッチパネル１２には手が届かないが、リモコンを使用することができる。このため、１００ｃｍ＜ｋ≦３００ｃｍの範囲では、利用者が使用することができる入力手段であるリモコンによって操作可能なアプリケーションが登録されている。これによって、利用者から表示装置１までの距離が、１００ｃｍ＜ｋ≦３００ｃｍの場合には、後述するＳ１１９の処理（図１０参照）によって、自動でリモコンによって操作可能なアプリケーションが自動で表示される。このため、利用者がアプリケーションを選択する作業が軽減される。
【００５９】
ｋ＞３００ｃｍに対応付けられているスライドショーモードは、利用者が操作する必要のないアプリケーションである。ｋ＞３００ｃｍでは、利用者から表示装置１までの距離が離れているので、利用者は、表示装置１のアプリケーションを操作する意志がない場合が多い。このため、ｋ＞３００ｃｍでは、利用者が操作する必要のないアプリケーションが登録されている。これによって、利用者から表示装置１までの距離が、ｋ＞３００ｃｍの場合には、後述するＳ１１９の処理（図１０参照）によって、自動で操作不要なアプリケーションが表示される。
【００６０】
手書きモードは、利用者が、タッチパネル１２を使用して文字等を入力することができるアプリケーションである。写真加工モードは、利用者が、メモリカード２６（図２参照）の写真データ記憶領域２６１に記憶されている写真の編集等を行うことができるアプリケーションである。電話モードは、有線通信部２７（図２参照）を介して、他の端末と電話をすることができるモードである。電話モードが選択された場合には、ディスプレイ上に数字等の電話の操作ボタンが表示される。利用者は、電話の操作ボタンの位置に対応したタッチパネル１２に触れること、もしくは予め登録してあるアドレス帳からの選択によって、電話をすることができる。利用者は、マイク１６とスピーカ１４を利用して、他の端末の利用者と通話をすることができる。スケジュールモードは、利用者が予定を書き込むことができるアプリケーションである。
【００６１】
受信ＦＡＸ表示モードは、受信されたＦＡＸの内容をディスプレイ１１に表示するアプリケーションである。オーディオ再生モードは、メモリカード２６のオーディオ記憶領域２６２に記憶された音楽データに基づいて、音楽が再生されるアプリケーションである。動画再生モードは、有線通信部２７を介してインターネット網からダウンロードされた動画を再生するアプリケーションである。文字ニュースモードは、有線通信部２７を介してインターネット網からダウンロードされたニュースを文字で表示するアプリケーションである。スライドショーモードは、メモリカード２６の写真データ記憶領域２６１に記憶された写真を、ディスプレイ１１に順番に表示するアプリケーションである。
【００６２】
図５を参照して、入力手段データテーブル４２の一例について説明する。入力手段データテーブル４２は、フラッシュメモリ２４の入力手段データテーブル記憶領域２４７（図３参照）に記憶されている。入力手段データテーブル４２には、利用者から表示装置１までの距離ｋと、動作可能な状態に設定される入力手段とが対応付けられて登録されている。距離ｋは、０≦ｋ≦１００ｃｍと、１００ｃｍ＜ｋ≦３００ｃｍと、ｋ＞３００ｃｍとに区切られている。つまり、距離ｋは、第一データテーブル４１と同一の範囲に区切られている。
【００６３】
０≦ｋ≦１００ｃｍは、タッチパネル１２とリモコンとに対応付けられている。つまり、０≦ｋ≦１００ｃｍの範囲では、タッチパネル１２とリモコン受信部１５とが動作可能な状態に設定される。また、１００ｃｍ＜ｋ≦３００ｃｍは、リモコンに対応付けられている。つまり、１００ｃｍ＜ｋ≦３００ｃｍの範囲では、リモコン受信部１５のみが動作可能な状態に設定される。また、ｋ＞３００ｃｍに対応付けられている入力手段はない。つまり、ｋ＞３００ｃｍでは、タッチパネル１２とリモコン受信部１５とは、共に動作しない。前述したように、第一データテーブル４１（図４参照）において、０≦ｋ≦１００ｃｍに対応付けられている各アプリケーションは、すべて、利用者がタッチパネル１２およびリモコンを使用することによって、操作することができるアプリケーションである。また、１００ｃｍ＜ｋ≦３００ｃｍに対応付けられている各アプリケーションは、すべて、利用者がリモコンを使用することによって、操作することができるアプリケーションである。ｋ＞３００ｃｍに対応付けられているスライドショーモードは、利用者が操作する必要のないアプリケーションである。つまり、入力手段データテーブル４２には、第一データテーブル４１に登録されているアプリケーションを操作することができる入力手段が登録されている。
【００６４】
図６を参照して、第二データテーブル４３の一例について説明する。第二データテーブル４３は、フラッシュメモリ２４の第二データテーブル記憶領域２４３（図３参照）に記憶されている。第二データテーブル４３には、利用者から表示装置１までの距離ｋと、アイコン表示とが対応付けられて記憶されている。アイコン表示とは、アイコンの表示態様のことである。アイコン表示は、比較的小さいアイコンの大きさでディスプレイ１１にアイコンを表示するための「小」と、「小」より大きいアイコンの大きさ「大」と、アイコンを表示しない「非表示」とに分けられている。また、距離ｋは、０≦ｋ≦１２０ｃｍと、１２０ｃｍ＜ｋ≦３００ｃｍと、ｋ＞３００ｃｍとに区切られている。
【００６５】
０≦ｋ≦１２０ｃｍは、アイコン表示「小」と対応付けられている。また、１２０ｃｍ＜ｋ≦３００ｃｍは、アイコン表示「大」と対応付けられている。また、ｋ＞３００ｃｍは、アイコン表示「非表示」と対応付けられている。
【００６６】
第二データテーブル４３では、利用者から表示装置１までの距離ｋに応じて、アイコンを適切な大きさでディスプレイ１１に表示できるように設定されている。０≦ｋ≦１２０ｃｍでは、利用者から表示装置１までの距離が比較的近いので、アイコンの表示を「小」にしても、利用者は、各アイコンがどのアプリケーションを示しているのかを容易に確認することができる。また、１２０＜ｋ≦３００ｃｍでは、利用者から表示装置までの距離が、少し離れている。しかし、アイコン表示を「大」にしてアイコンを大きく表示することで、利用者は、各アイコンがどのアプリケーションを示しているのかを容易に確認することができる。また、前述したように、ｋ＞３００ｃｍでは、利用者が操作する必要のないアプリケーションが表示され、さらに、入力手段であるタッチパネル１２やリモコン受信部１５は動作しない（図５参照）。このため、利用者は、入力手段でアイコンを選択できないので、ｋ＞３００ｃｍの範囲では、アイコン表示を「非表示」にして、アイコンを表示しないように設定している。
【００６７】
図７を参照して、第三データテーブル４４の一例について説明する。第三データテーブル４４は、フラッシュメモリ２４の第三データテーブル記憶領域２４４（図３参照）に記憶されている。第三データテーブル４４には、利用者から表示装置１までの距離ｋと、ディスプレイ１１に表示される文字の大きさとが対応付けられて登録されている。文字の大きさは、１〜４の数字で段階的に表され、数値が大きくなるほど、文字の大きさは大きくなる。また、距離ｋは、０≦ｋ≦８０ｃｍと、８０ｃｍ＜ｋ≦２００ｃｍと、２００＜ｋ≦３５０と、ｋ＞３５０ｃｍとに区切られている。
【００６８】
０≦ｋ≦８０ｃｍは、文字の大きさ「１」と対応付けられている。また、８０ｃｍ＜ｋ≦２００ｃｍは、文字の大きさ「２」と対応付けられている。また、２００ｃｍ＜ｋ≦３５０ｃｍは、文字の大きさ「３」と対応付けられている。また、ｋ＞３５０ｃｍは、文字の大きさ「４」と対応付けられている。
【００６９】
第三データテーブル４４では、利用者から表示装置１までの距離ｋに応じて、文字を適切な大きさでディスプレイ１１に表示できるように設定されている。つまり、利用者から表示装置１までの距離が大きければ、より大きい文字で表示できるように設定されている。これによって、利用者は、ディスプレイ１１に表示される文字を容易に確認することができる。
【００７０】
図８を参照して、第四データテーブル４５の一例について説明する。第四データテーブル４５は、フラッシュメモリ２４の第四データテーブル記憶領域２４５（図３参照）に記憶されている。第四データテーブル４５には、利用者から表示装置１までの距離ｋと、スピーカ１４から出力される音声の音量とが対応付けられて記憶されている。音量は、１〜３の数字で段階的に表され、数値が大きくなるほど、音量は大きくなる。また、距離ｋは、０≦ｋ≦１５０ｃｍと、１５０ｃｍ＜ｋ≦３００ｃｍと、ｋ＞３００とに区切られている。
【００７１】
０≦ｋ≦１５０ｃｍは、音量「１」と対応付けられている。また、１５０ｃｍ＜ｋ≦３００ｃｍは、音量「２」と対応付けられている。また、ｋ＞３００ｃｍは、音量「３」と対応付けられている。
【００７２】
第四データテーブル４５では、利用者から表示装置１までの距離ｋに応じて、適切な音量でスピーカ１４から音声を出力できるように設定されている。つまり、利用者から表示装置１までの距離が大きければ、より大きい音量でスピーカ１４から音声を出力できるように設定されている。これによって、利用者は、音声を容易に聞き取ることができる。また、利用者から表示装置１までの距離が小さいときは、音量は小さく設定されるので、消費電力を低減することができる。
【００７３】
図９を参照して、第五データテーブル４６の一例について説明する。第五データテーブル４６は、フラッシュメモリ２４の第五データテーブル記憶領域２４６（図３参照）に記憶されている。第五データテーブル４６には、利用者から表示装置１までの距離ｋと、ディスプレイ１１の輝度とが対応付けられて記憶されている。輝度は、１〜４の数字で段階的に表され、数値が大きくなるほど、輝度は大きくなる。また、距離ｋは、０≦ｋ≦１２０ｃｍと、１２０ｃｍ＜ｋ≦２４０ｃｍと、２４０＜ｋ≦３６０と、ｋ＞３６０ｃｍとに区切られている。
【００７４】
０≦ｋ≦１２０ｃｍは、輝度の大きさ「１」と対応付けられている。また、１２０ｃｍ＜ｋ≦２４０ｃｍは、輝度の大きさ「２」と対応付けられている。また、２４０ｃｍ＜ｋ≦３６０ｃｍは、輝度の大きさ「３」と対応付けられている。また、ｋ＞３６０ｃｍは、輝度文字の大きさ「４」と対応付けられている。
【００７５】
第五データテーブル４６では、利用者から表示装置１までの距離ｋに応じて、ディスプレイ１１の輝度を適切な大きさに調整できるように設定されている。つまり、利用者から表示装置１までの距離が大きければ、ディスプレイ１１が大きい輝度でアプリケーション等を表示するように設定されている。これによって、利用者は、ディスプレイ１１に表示されているアプリケーション等を容易に確認することができる。また、利用者から表示装置１までの距離が小さいときは、ディスプレイ１１は、小さい輝度に設定されるので、消費電力を低減することができる。
【００７６】
図１０に示すフローチャートを参照して、本実施形態の表示装置１が行うメイン処理について説明する。メイン処理は、ＲＯＭ２２のプログラム記憶領域２２１に記憶されているプログラムに従ってＣＰＵ２１が実行する。
【００７７】
図１０に示すように、まず、各種のデータの初期化が行われる（Ｓ１０１）。Ｓ１０１の処理では、各種のパラメータ等がリセットされる。次いで、変数ｉが０に設定される（Ｓ１０２）。変数ｉについては、後述する。
【００７８】
次いで、超音波センサ１３から超音波が出力され、さらに、超音波が出力されてからの時間の計測が開始される（Ｓ１０３）。Ｓ１０３の処理では、ＣＰＵ２１からの指示によってセンサ制御部３２が超音波センサ１３を制御し、超音波センサ１３を出力モードに設定する。そして、ＣＰＵ２１がセンサ制御部３２を制御し、超音波センサ１３に対して、所定のパルス波形を送信する。超音波センサ１３は、センサ制御部３２から送信された所定のパルス波形を受信後、受信した所定のパルス波形に対応した超音波に変換して表示装置１の外部に向けて出力する。また、超音波が出力されてからの時間の計測は、タイマ３３を参照して行われる。
【００７９】
次いで、Ｓ１０３の処理によって出力された超音波が物体に当たって反射した超音波である反射波が、所定時間の間に受信されたか否かが判断される（Ｓ１０４）。Ｓ１０４の処理では、ＣＰＵ２１からの指示によってセンサ制御部３２が超音波センサ１３を制御し、超音波センサ１３を受信モードに設定する。反射波は、受信モードに設定された超音波センサ１３によって受信され、ＣＰＵ２１で認識される。また、所定時間は、タイマ３３を参照して、ＣＰＵ２１が計測する。所定時間は、例えば、０．０５秒である。
【００８０】
所定時間の間に反射波が受信されなかった場合には（Ｓ１０４：ＮＯ）、続いて、利用者によって、終了指示が入力されたか否かが判断される（Ｓ１０５）。Ｓ１０５の処理では、利用者が、表示装置１の電源をオンオフする電源ボタン（図示せず）を押して、表示装置１に終了指示を入力したか否かが判断される。終了指示が入力されていない場合には（Ｓ１０５：ＮＯ）、Ｓ１０２に戻り処理が繰り返される。終了指示が入力された場合には（Ｓ１０５：ＹＥＳ）、ＣＰＵ２１によるメイン処理が終了される。
【００８１】
検出エラー等が発生した場合は、所定時間の間に、反射波が検出されない（Ｓ１０４：ＮＯ）。つまり、検出エラーが発生し（Ｓ１０４：ＮＯ）、終了指示が入力されていなければ（Ｓ１０５：ＮＯ）、Ｓ１０２に戻り処理が繰り返される。
【００８２】
所定時間の間に反射波が受信された場合には（Ｓ１０４：ＹＥＳ）、続いて、超音波を反射した物体までの距離が検出される（Ｓ１０６）。なお、Ｓ１０４の処理において所定時間経過前に反射波が受信された場合には、所定時間が経過するのを待つことなく、反射波が受信された時点で、Ｓ１０６の処理が開始される。Ｓ１０６の処理では、Ｓ１０３の処理によって計測が開始された、超音波を出力してからの時間が参照され、Ｓ１０４の処理で反射波が受信されるまでの時間が計算される。そして、計算された時間から、超音波を反射した物体までの距離が計算される。これによって、超音波を反射した物体までの距離が検出される。超音波を反射した物体までの距離は、音の速さと時間との積を２で除算することにより計算される。
【００８３】
次いで、Ｓ１０６によって検出された距離が、設置環境記憶領域２４１に記憶されている設置環境距離と同一か否かが判断される（Ｓ１０７）。ここで、設置環境距離について説明する。設置環境距離とは、表示装置１が設置された環境（例えば、利用者がいない家の部屋）において、超音波センサ１３を利用して検出された距離である。設置環境距離は、メイン処理が行われる前に事前に検出され、設置環境記憶領域２４１に記憶される。設置環境距離の検出は、以下のように行われる。すなわち、前述したＳ１０３の処理と同様に、出力モードに設定された超音波センサ１３から超音波が出力され、超音波が出力されてからの時間が計測される。超音波センサ１３から出力された超音波は、部屋の壁などに反射して、その反射波が受信モードに設定された超音波センサ１３において受信される。そして、前述したＳ１０６の処理と同様に、超音波を出力してから反射波が受信されるまでの時間から、設置環境距離が検出される。検出された設置環境距離は、設置環境記憶領域２４１に記憶される。なお、設置環境距離の計測は、利用者の指示によって行ってもよいし、定期的に自動で計測してもよい。
【００８４】
図１０のフローチャートの説明に戻る。表示装置１の前に利用者がいない場合には、Ｓ１０６の処理で検出された距離が、設置環境距離と同一となる（Ｓ１０７：ＹＥＳ）。また、表示装置１の前に利用者がいる場合には、Ｓ１０６によって検出された距離が、設置環境距離と同一とならない（Ｓ１０７：ＮＯ）。つまり、Ｓ１０７の処理では、表示装置１の前に利用者がいるか否かが判断される。なお、Ｓ１０６によって検出された距離と、設置環境距離とが必ずしも完全に同一となるか否かを判断するように設定する必要はなく、Ｓ１０６によって検出された距離と設置環境距離とがある程度の距離の範囲にあれば、同一とみなすように設定してもよい。
【００８５】
Ｓ１０６によって検出された距離が、設置環境記憶領域２４１に記憶されている設置環境距離と同一である場合、すなわち、利用者がいないと判断された場合には（Ｓ１０７：ＹＥＳ）、続いて、Ｓ１０５に進み、処理が繰り返される。
【００８６】
Ｓ１０６によって検出された距離が、設置環境記憶領域２４１に記憶されている設置環境距離と同一でない場合、すなわち、利用者がいると判断された場合には（Ｓ１０７：ＮＯ）、続いて、Ｓ１０６の処理によって検出された距離が、利用者から表示装置１までの距離ｋとして確定される（Ｓ１０８）。Ｓ１０８の処理では、Ｓ１０６の処理で検出された超音波を反射した物体までの距離が、利用者から表示装置１までの距離ｋであるとして検出距離記憶領域２３１に記憶される。これによって、Ｓ１０６の処理で検出された距離が、利用者から表示装置１までの距離ｋとして確定される。なお、Ｓ１０８の処理は、後述するＳ１０９の処理によって、変数ｉが２０以下ではないと判断されるまで繰り返し実行される。変数ｉは、Ｓ１０８に処理によって利用者から表示装置１までの距離ｋを確定して記憶するサンプリング数を表している。変数ｉが「０」から「２０」になるまで繰り返しＳ１０３〜Ｓ１０４、Ｓ１０６〜Ｓ１１０の処理が行われることによって、利用者から表示装置１までの距離ｋが連続して検出され、検出距離記憶領域２３１に記憶される。検出距離記憶領域２３１には、利用者から表示装置１までの距離ｋが、変数ｉの値と対応付けられて追加記憶される。
【００８７】
次いで、変数ｉの値が２０以下であるか否かが判断される（Ｓ１０９）。変数ｉの値が２０以下の場合には（Ｓ１０９：ＹＥＳ）、変数ｉがインクリメントされる（Ｓ１１０）。次いでＳ１０３に戻り処理が繰り返される。つまり、利用者から表示装置１までの距離ｋが、２１回連続して検出されるまで、Ｓ１０３〜Ｓ１１０の処理が繰り返される。本実施の形態では、Ｓ１０３〜Ｓ１１０の処理が０．１秒間隔で繰り返されているとする。この場合、利用者が最初に検出された時の変数ｉの値が「０」であり、利用者が最初に検出されてから２秒後に検出された時の変数ｉの値は「２１」となる。つまり、Ｓ１０９の処理では、２秒間連続して利用者が検出されたか否かが判断されている。
【００８８】
例えば、メイン処理が始まって、利用者が表示装置１の前にいない間は、Ｓ１０３の処理で出力された超音波は、部屋の壁等に反射し、その反射波が受信される（Ｓ１０４：ＹＥＳ）。そして、Ｓ１０６の処理によって検出された距離は、設置環境距離と同一となる（Ｓ１０７：ＹＥＳ）。このため、利用者によって終了指示が入力されなければ（Ｓ１０５：ＮＯ）、Ｓ１０２に戻り処理が繰り返される。
【００８９】
そして、利用者が表示装置１の前に現れると、Ｓ１０３の処理で出力された超音波は、利用者に反射し、その反射波が受信される（Ｓ１０４：ＹＥＳ）。そして、Ｓ１０６の処理によって検出された距離は、設置環境距離と同一とならない（Ｓ１０７：ＮＯ）。このため、Ｓ１０６の処理で検出された距離が、利用者から表示装置１までの距離ｋとして記憶される（Ｓ１０８）。そして、変数ｉの値が２０以下である間は（Ｓ１０９：ＹＥＳ）、変数ｉがインクリメントされ（Ｓ１１０）、Ｓ１０２の処理に戻り処理が繰り返される。そして、２１回（すなわち２秒間）連続して、利用者から表示装置１までの距離ｋが検出された場合は（Ｓ１０９：ＮＯ）、後述するＳ１１１の処理が行われる。
【００９０】
なお、例えば、利用者が表示装置１の前を単に通り過ぎた場合には、利用者が最初に検出されてから変数ｉが２０以下である間（すなわち、２秒以内）に、利用者が検出されなくなる（Ｓ１０７：ＹＥＳ）。このため、利用者によって終了指示が入力されていなければ（Ｓ１０５：ＮＯ）、変数ｉがリセットされて「０」に設定される（Ｓ１０２）。そして、処理が繰り返される。つまり、利用者が表示装置１の前を通り過ぎた場合には、後述するＳ１１２〜Ｓ１１９の処理によって、アプリケーションが変更されることはない。このため、利用者が表示装置１を使用する意志がない場合に、アプリケーションが変更されてしまうおそれを低くすることができる。
【００９１】
Ｓ１０９の処理によって、変数ｉが２０以下ではないと判断された場合、つまり、利用者が２１回（すなわち、２秒間）検出された場合には（Ｓ１０９：ＮＯ）、続いて、ＲＡＭ２３の検出距離記憶領域２３１に記憶されている、変数ｉ＝２１のときの距離ｋと、変数ｉ＝０のときの距離ｋとが同一か否かが判断される（Ｓ１１１）。なお、変数ｉ＝２１のときの距離ｋと、変数ｉ＝０のときの距離ｋとが必ずしも完全に同一となるか否かを判断するように設定する必要はなく、変数ｉ＝２１のときの距離ｋと、変数ｉ＝０のときの距離ｋとの差がある程度の範囲にあれば、同一とみなすように設定してもよい。
【００９２】
変数ｉ＝２１のときの距離ｋと、変数ｉ＝０のときの距離ｋとが同一であることは、利用者が立ち止まっていることを意味する。この場合、利用者は、立ち止まって、表示装置１の操作すること以外の作業をしているか、後述するＳ１１９の処理によって表示されたアプリケーションを操作していると考えられる。検出距離記憶領域２３１に記憶されている、変数ｉ＝２１のときの距離と、変数ｉ＝０のときの距離とが同一である場合（Ｓ１１１：ＹＥＳ）、Ｓ１０５に進み、処理が繰り返される。つまり、後述するＳ１１２〜Ｓ１１９の処理によって、アプリケーションが変更されることはない。これによって、利用者が立ち止まって、表示装置１の操作すること以外の作業をしている場合には、アプリケーションは変更されない。つまり、利用者がアプリケーションを操作する意思のない場合に、アプリケーションが変更されるおそれを低くすることができる。また、利用者が立ち止まって、後述するＳ１１９の処理によって表示されたアプリケーションを操作している場合にも、操作中のアプリケーションが変更されない。つまり、利用者がアプリケーションを操作している途中で、アプリケーションが変更されてしまうおそれを低くすることができる。
【００９３】
一方、検出距離記憶領域２３１に記憶されている、変数ｉ＝２１のときの距離と、変数ｉ＝０のときの距離とが同一ではないということは、利用者が移動していることを意味する。この場合、利用者は、表示装置１を利用するために表示装置１に近づいているか、利用者から表示装置１までの距離ｋを変えて、後述するＳ１１２〜Ｓ１１９の処理によってディスプレイ１１に表示されるアプリケーションを変更しようとしている可能性が高い。このため、検出距離記憶領域２３１に記憶されている、変数ｉ＝２１のときの距離と、変数ｉ＝０のときの距離とが同一ではない場合には、後述するＳ１１２〜Ｓ１１９の処理によって、ディスプレイ１１に、利用者と表示装置１までの距離に応じたアプリケーションを表示する。以下、Ｓ１１２〜Ｓ１１９の処理について説明する。
【００９４】
検出距離記憶領域２３１に記憶されている、変数ｉ＝２１のときの距離と、変数ｉ＝０のときの距離とが同一ではない場合には（Ｓ１１１：ＮＯ）、第一データテーブル記憶領域２４２（図３参照）に記憶されている第一データテーブル（図４参照）からアプリケーションが選択される（Ｓ１１２）。Ｓ１１２の処理では、第一データテーブル４１が参照され、Ｓ１０６の処理によって変数ｉ＝２１のときに検出された距離ｋ（以下、「最新の距離ｋ」という。）に対応したアプリケーションが選択され、設定記憶領域２３２に登録される。
【００９５】
次いで、入力手段データテーブル記憶領域２４７（図３参照）に記憶されている入力手段データテーブル４２（図５参照）から、入力手段が選択され、選択された入力手段の動作が開始される。（Ｓ１１３）。Ｓ１１３の処理では、入力手段データテーブル４２が参照され、最新の距離ｋに対応した入力手段が選択される。そして、選択された入力手段に、電力等が供給され、入力手段の動作が開始される。
【００９６】
次いで、第二データテーブル記憶領域２４３（図３参照）に記憶されている第二データテーブル（図６参照）からアイコン表示が選択される（Ｓ１１４）。Ｓ１１４の処理では、第二データテーブル４３が参照され、最新の距離ｋに対応したアイコン表示が選択され、設定記憶領域２３２に追加記憶される。
【００９７】
次いで、第三データテーブル記憶領域２４４（図３参照）に記憶されている第三データテーブル（図７参照）から文字の大きさが選択される（Ｓ１１５）。Ｓ１１５の処理では、第三データテーブル４４が参照され、最新の距離ｋに対応した文字の大きさが選択され、設定記憶領域２３２に追加記憶される。
【００９８】
次いで、第四データテーブル記憶領域２４５（図３参照）に記憶されている第四データテーブル（図８参照）から音量が選択される（Ｓ１１６）。Ｓ１１６の処理では、第四データテーブル４５が参照され、最新の距離ｋに対応した音量が選択され、設定記憶領域２３２に追加記憶される。
【００９９】
次いで、第五データテーブル記憶領域２４６（図３参照）に記憶されている第五データテーブル（図９参照）から輝度が選択される（Ｓ１１７）。Ｓ１１７の処理では、第五データテーブル４６が参照され、最新の距離ｋに対応した輝度が選択され、設定記憶領域２３２に追加記憶される。
【０１００】
次いで、Ｓ１１６の処理において選択された音量に基づいて、スピーカ１４から出力される音声の音量が設定される（Ｓ１１８）。Ｓ１１８の処理では、ＣＰＵ２１が、音声ドライバ２８を制御して、Ｓ１１６において選択された音量で、スピーカから音声を出力できるようにする。
【０１０１】
次いで、設定記憶領域２３２に記憶されたＳ１１２、Ｓ１１４、Ｓ１１５、およびＳ１１７の処理において選択された各種の設定に基づいて、アプリケーションが起動されてディスプレイ１１に表示される（Ｓ１１９）。Ｓ１１９の処理では、ＣＰＵ２１が表示ドライバ２９を制御して、ディスプレイ１１にアプリケーションを表示する。これによって、利用者が、Ｓ１１３の処理で選択された入力手段を使用して、アプリケーションを操作可能になる。このとき、Ｓ１１２の処理において選択されたメインアプリケーションが起動され、ディスプレイ１１に表示される。また、Ｓ１１４の処理において選択されたアイコン表示アプリケーションが、優先順位の順番でアイコンとしてディスプレイ１１に表示される。利用者は、アイコンを選択することによって、アイコン表示アプリケーションを選択することができる。なお、ディスプレイ１１には表示されないが、アイコン表示アプリケーションも起動される（Ｓ１１９）。これによって、利用者がアイコンを選択してアイコン表示アプリケーションを操作しようとする場合に、素早くディスプレイ１１に表示できるようになる（Ｓ１１９）。
【０１０２】
また、ディスプレイ１１に表示されるアイコンは、Ｓ１１４で選択されたアイコン表示に対応するように表示される（Ｓ１１９）。ディスプレイ１１に表示される文字は、Ｓ１１５の処理において選択された文字の大きさで表示される（Ｓ１１９）。ディスプレイ１１の輝度は、Ｓ１１７の処理において選択された輝度に設定される（Ｓ１１９）。次いで、Ｓ１０５に進み、処理が繰り返される。
【０１０３】
例えば、最新の距離ｋが「５０ｃｍ」であるとする。この例示を「第一具体例」という。この場合、第一データテーブル４１が参照され、最新の距離ｋである５０ｃｍに対応付けられたアプリケーションが選択される（Ｓ１１２）。最新の距離ｋである５０ｃｍは、図４に示す第一データテーブル４１において、０ｃｍ≦ｋ≦１００ｃｍの範囲である。このため、０≦ｋ≦１００ｃｍの範囲に対応付けられた、手書きモード、写真加工モード、電話モード、スケジュールモードが選択され、設定記憶領域２３２に記憶される（Ｓ１１２）。このとき、手書きモードがメインアプリケーションとして、設定記憶領域２３２に記憶される。また、写真加工モード、電話モード、スケジュールモードは、優先順位と関連付けられ、アイコン表示アプリケーションとして設定記憶領域２３２に記憶される。
【０１０４】
次いで、入力手段データテーブル４２が参照され、最新の距離ｋである５０ｃｍに対応した入力手段が選択され、選択された入力手段の動作が開始される（Ｓ１１３）。最新の距離ｋである５０ｃｍは、図５に示す入力手段データテーブル４２において、０ｃｍ≦ｋ≦１００ｃｍの範囲である。このため、０≦ｋ≦１００ｃｍの範囲に対応付けられた、タッチパネル１２およびリモコンが選択される。そして、タッチパネル１２およびリモコンが動作可能になるように、タッチパネル１２、タッチパネルドライバ３０、リモコン受信部１５、およびリモコンドライバ３１に電力が供給される。これによって、タッチパネル１２およびリモコンが動作可能な状態に設定される
【０１０５】
次いで、第二データテーブルが参照され、最新の距離ｋである５０ｃｍに対応付けられたアイコン表示が選択される（Ｓ１１４）。最新の距離ｋである５０ｃｍは、図６に示す第二データテーブル４３において、０ｃｍ≦ｋ≦１２０ｃｍの範囲である。このため、０ｃｍ≦ｋ≦１２０ｃｍの範囲に対応付けられたアイコンの大きさである「小」が選択され、設定記憶領域２３２に追加記憶される（Ｓ１１４）。
【０１０６】
次いで、第三データテーブル４４が参照され、最新の距離ｋである５０ｃｍに対応付けられた文字の大きさが選択される（Ｓ１１５）。最新の距離ｋである５０ｃｍは、図７に示す第三データテーブル４４において、０ｃｍ≦ｋ≦８０ｃｍの範囲である。このため、０ｃｍ≦ｋ≦８０ｃｍの範囲に対応付けられた文字の大きさである「１」が選択され、設定記憶領域２３２に追加記憶される（Ｓ１１４）。
【０１０７】
次いで、第四データテーブル４５が参照され、最新の距離ｋである５０ｃｍに対応付けられた音量が選択される（Ｓ１１６）。最新の距離ｋである５０ｃｍは、図８に示す第四データテーブル４５において、０ｃｍ≦ｋ≦１５０ｃｍの範囲である。このため、０ｃｍ≦ｋ≦１５０ｃｍの範囲に対応付けられた音量である「１」が選択され、設定記憶領域２３２に追加記憶される（Ｓ１１６）。
【０１０８】
次いで、第五データテーブル４６が参照され、最新の距離ｋである５０ｃｍに対応付けられた輝度が選択される（Ｓ１１７）。最新の距離ｋである５０ｃｍは、図９に示す第五データテーブル４６において、０ｃｍ≦ｋ≦１２０ｃｍの範囲である。このため、０ｃｍ≦ｋ≦１２０ｃｍの範囲に対応付けられた輝度である「１」が選択され、設定記憶領域２３２に追加記憶される（Ｓ１１７）。
【０１０９】
次いで、Ｓ１１６の処理において選択され、設定記憶領域２３２に記憶された音量に基づいて、スピーカ１４から出力される音声の音量が設定される（Ｓ１１８）。これによって、ＣＰＵ２１は、音声ドライバ２８を制御して、Ｓ１１６において選択された音量である「１」に対応した音量で、スピーカ１４から音声を出力できるようになる。
【０１１０】
次いで、設定記憶領域２３２に記憶された、Ｓ１１２、Ｓ１１４、Ｓ１１５、およびＳ１１７の処理において選択された各種の設定に基づいて、ＣＰＵ２１が表示ドライバ２９を制御して、ディスプレイ１１にアプリケーションを表示する（Ｓ１１９）。これによって、利用者は、Ｓ１１３の処理で選択された入力手段によってアプリケーションを操作することができる。また、Ｓ１１２の処理において選択されたアイコン表示アプリケーションが、優先順位の順番でアイコンとしてディスプレイ１１に表示される。アイコンが優先順位の順番で表示されるため、利用者は、使用したいアプリケーションを、容易に選択することができる。
【０１１１】
図１１を参照して、最新の距離ｋが５０ｃｍの場合における、Ｓ１１９の処理によって表示されるディスプレイ１１の表示の一例を説明する。図１１に示すように、ディスプレイ１１の左部には、アイコンが縦方向に並んで表示されるアイコン表示部５１が設けられている。また、アイコン表示部５１の右側から、ディスプレイ１１の右部にかけて、メインアプリケーションが表示されるメイン表示部５２が設けられている。また、アイコン表示部５１の上部には、時刻が表示される時刻表示部５３が設けられている。また、メイン表示部５２の左部の上側には、起動されているメインアプリケーションの名称が表示される名称表示部５４が設けられている。なお、これらの表示部の配置は、任意に設定可能であり、その他の表示部を設けてもよい。
【０１１２】
最新の距離ｋが５０ｃｍの場合、Ｓ１１２の処理において選択されたメインアプリケーションである手書きモードが起動され、メイン表示部５２に表示されている。また、Ｓ１１２の処理において選択されたアイコン表示アプリケーションである写真加工モード、電話モード、スケジュールモードが、アイコンとして、アイコン表示部５１に表示されている。アイコン表示部５１は、優先順位が高い順で、上から下方向に向けてアイコンが並んで表示されている。このため、最も優先順位が高い写真加工モードのアイコン５１１が、最も上に表示されている。また、二番目に優先順位が高い、電話モードのアイコン５１２が、上から二番目に表示されている。また、三番目に優先順位が高い、スケジュールモードのアイコン５１３が、上から三番目に表示されている。また、スケジュールモードのアイコン５１３の下側には、その他のアプリケーションの選択や各種の設定の変更を行うためのモードであるメニューモードに移行するためのアイコン５１４が表示されている。これらのアイコン５１１〜５１４は、Ｓ１１４の処理によって選択されたアイコンの大きさ「小」に対応した大きさで表示されている。なお、ディスプレイ１１には表示されないが、アイコン表示アプリケーションである写真加工モード、電話モード、スケジュールモードも起動される（Ｓ１１９）。これによって、利用者が、アイコン５１１〜５１３のいずれかを選択して、写真加工モード、電話モード、スケジュールモードを操作しようとする場合に、素早くディスプレイ１１に表示できるようになる（Ｓ１１９）。
【０１１３】
また、名称表示部５４には、メインアプリケーションの名称である「手書きモード」が表示されている。また、時刻表示部５３には、現在の時刻「１２：００」が表示されている。名称表示部５４と時刻表示部５３とに表示されている文字は、Ｓ１１５の処理によって選択された文字の大きさ「１」に対応する大きさで表示されている。なお、メイン表示部５２に表示されるアプリケーションの中の文字の大きさも、Ｓ１１５の処理によって選択された文字の大きさ「１」に対応する大きさに表示するようにしてもよい。また、ディスプレイ１１は、Ｓ１１７の処理において選択された輝度である「１」に対応する輝度で表示されている。
【０１１４】
これによって、表示装置１は、利用者から表示装置１までの距離である「５０ｃｍ」に適した設定に設定される。つまり、利用者が、表示装置１から５０ｃｍの距離にいる場合、予め設定されたメインアプリケーションである手書きモードが自動で表示されるため、利用者が手書きモードを選択する作業が軽減される。また、手書きモードは、タッチパネル１２を使用して操作するのに適したアプリケーションであるが、Ｓ１１３の処理によって、タッチパネル１２が自動で使用可能な状態にされるため、利用者は、すぐにタッチパネル１２を使用し、メインアプリケーションを操作することができる。つまり、タッチパネル１２によって操作可能なアプリケーションが自動で表示されるため、利用者がタッチパネル１２によって操作可能なアプリケーションを選択する作業が軽減される。また、利用者は、リモコンを使用して、メインアプリケーションを操作することもできる。また、利用者は、タッチパネル１２やリモコンを使用して、アイコン５１１〜５１４を選択し、各アプリケーションを選択することができる。
【０１１５】
Ｓ１１９の処理によって、ディスプレイ１１にアプリケーションが表示されたら、Ｓ１０５に進み、終了指示が入力されていなければ（Ｓ１０５：ＮＯ）、Ｓ１０２に戻り処理が繰り返される。利用者が立ち止まって、表示されたアプリケーションを操作している間は、変数ｉ＝２１のときの距離と、変数ｉ＝０のときの距離とが同一となるので（Ｓ１１１：ＹＥＳ）、引き続き、Ｓ１１９の処理で表示されたアプリケーションを表示したまま、Ｓ１０５に進み処理が繰り返される。
【０１１６】
次に、利用者から表示装置１までの距離ｋが５０ｃｍである場合（第一具体例）から、利用者が移動し、２秒以内に、利用者から表示装置１までの距離が１８０ｃｍになった場合の例について説明する。この場合、変数ｉ＝１のときの利用者から表示装置１までの距離ｋは、５０ｃｍであり、変数ｉ＝２１のときの利用者から表示装置１までの距離ｋは、１８０ｃｍとなる（Ｓ１０６〜Ｓ１０８）。このため、変数ｉ＝２１のときの距離ｋ（すなわち、最新の距離ｋ）と変数ｉ＝１のときの距離とが同一ではなくなる（Ｓ１１１：ＮＯ）。
【０１１７】
この最新の距離ｋが「１８０ｃｍ」である場合を「第二具体例」という。この場合、第一具体例の場合と同様にして、第一データテーブル４１が参照され、最新の距離ｋである１８０ｃｍに対応付けられたアプリケーションが選択される（Ｓ１１２）。つまり、受信ＦＡＸ表示モード、オーディオ再生モード、動画再生モード、文字ニュースモードが選択され、設定記憶領域２３２に記憶される（Ｓ１１２）。
【０１１８】
次いで、入力手段データテーブル４２（図５参照）が参照され、最新の距離ｋである１８０ｃｍに対応した入力手段であるリモコンが選択され、リモコン受信部１５の動作が開始される（Ｓ１１３）。このとき、タッチパネル１２は動作しない。このため、タッチパネル１２を動作させる場合に比べて消費電力を低減することができる。
【０１１９】
次いで、第二データテーブル（図６参照）が参照され、最新の距離ｋである１８０ｃｍに対応付けられたアイコンの大きさ「大」が選択され、設定記憶領域２３２に追加記憶される（Ｓ１１４）。次いで、第三データテーブル４４（図７参照）が参照され、最新の距離ｋである１８０ｃｍに対応付けられた文字の大きさである「２」が選択され、設定記憶領域２３２に追加記憶される（Ｓ１１５）。次いで、第四データテーブル４５（図８参照）が参照され、最新の距離ｋである１８０ｃｍに対応付けられた音量である「２」が選択され、設定記憶領域２３２に記憶される（Ｓ１１６）。次いで、第五データテーブル４６（図９参照）が参照され、最新の距離ｋである１８０ｃｍに対応付けられた輝度である「２」が選択され、設定記憶領域２３２に追加記憶される（Ｓ１１７）。
【０１２０】
次いで、Ｓ１１６の処理において選択され、設定記憶領域２３２に記憶された音量に基づいて、スピーカ１４から出力される音声の音量が設定される（Ｓ１１８）。これによって、ＣＰＵ２１は、音声ドライバ２８を制御して、Ｓ１１６において選択された音量である「２」に対応した音量で、スピーカ１４から音声を出力できるようになる。つまり、第一具体例の場合に比べて、利用者と表示装置１との距離が離れたが、第一具体例の場合に比べてより大きい音量で音声を出力できるため、利用者が、音声を聞き取りやすくなる。
【０１２１】
次いで、設定記憶領域２３２に記憶された、Ｓ１１２、Ｓ１１４、Ｓ１１５、およびＳ１１７の処理において選択された各種の設定に基づいて、ディスプレイ１１にアプリケーションが表示される（Ｓ１１９）。つまり、アプリケーションが変更される。これによって、利用者は、Ｓ１１３の処理で選択された入力手段によってアプリケーションを操作することができるようになる。
【０１２２】
図１２を参照して、最新の距離ｋが１８０ｃｍの場合における、Ｓ１１９の処理によって表示されるディスプレイ１１の表示の一例を説明する。図１２に示すように、図１１に示す第一具体例の場合と同様の配置で、アイコン表示部５１、メイン表示部５２、時刻表示部５３、および名称表示部５４が設けられている。
【０１２３】
最新の距離ｋが１８０ｃｍの場合、Ｓ１１２の処理において選択されたメインアプリケーションである受信ＦＡＸ表示モードが起動され、メイン表示部５２に表示されている。また、Ｓ１１２の処理において選択されたアイコン表示アプリケーションであるオーディオ再生モード、動画再生モード、文字ニュースモードが、アイコンとして、アイコン表示部５１に表示されている。アイコン表示部５１では、優先順位が高い順に、上から、オーディオ再生モードのアイコン５１５、動画再生モードのアイコン５１６、文字ニュースモードのアイコン５１７の順で下方向に並んで表示されている。文字ニュースモードのアイコン５１７の下側には、メニューモードに移行するためのアイコン５１８が表示されている。これらのアイコン５１５〜５１８は、Ｓ１１４の処理によって選択されたアイコン表示「大」に対応した大きさで表示されている。つまり、図１１に示す最新の距離ｋが５０ｃｍの場合のアイコンの大きさ「小」で表示されている場合に比べて、アイコンが大きくなっている。
【０１２４】
なお、ディスプレイ１１には表示されないが、アイコン表示アプリケーションであるオーディオ再生モード、動画再生モード、文字ニュースモードも起動される（Ｓ１１９）。これによって、利用者が、アイコン５１５〜５１８のいずれかを選択して、オーディオ再生モード、動画再生モード、文字ニュースモードを操作しようとする場合に、素早くディスプレイ１１に表示できるようになる（Ｓ１１９）。
【０１２５】
名称表示部５４には、「受信ＦＡＸ表示モード」と表示されている。また、時刻表示部５３には、現在の時刻「１２：００」が表示されている。名称表示部５４と時刻表示部５３とに表示されている文字は、Ｓ１１５の処理によって選択された文字の大きさ「２」に対応する大きさで表示されている。つまり、図１１に示す最新の距離ｋが５０ｃｍの場合の文字の大きさ「１」で表示されている場合に比べて、文字が大きくなっている。なお、メイン表示部５２に表示されるメインアプリケーションなどの文字の大きさも、Ｓ１１５の処理によって選択された文字の大きさ「２」に対応する大きさに表示するようにしてもよい。また、ディスプレイ１１は、Ｓ１１７の処理において選択された輝度である「２」に対応する輝度で表示されている。
【０１２６】
これによって、表示装置１は、利用者から表示装置１までの距離である１８０ｃｍに適した設定に設定される。つまり、利用者が、表示装置１まで１８０ｃｍの距離にいる場合、予め設定したメインアプリケーションである受信ＦＡＸ表示モードが自動で表示されるため、利用者が受信ＦＡＸ表示モードを選択する作業が軽減される。また、受信ＦＡＸ表示モードは、リモコンを使用して操作するのに適したアプリケーションであるが、Ｓ１１３の処理によって、リモコン受信部１５が自動で使用可能な状態にされるため、利用者は、すぐにリモコンを使用し、メインアプリケーションを操作することができる。
【０１２７】
また、第一具体例の場合に比べて、利用者から表示装置１までの距離ｋが離れているが、文字が大きくなり、輝度も大きくなり、アイコンも大きくなっているため、利用者は、ディスプレイ１１に表示されている内容を容易に確認することができる。
【０１２８】
次に、最新の距離ｋが「４００ｃｍ」であった場合の例について説明する。この例示を「第三具体例」という。この場合、第一具体例および第二具体例の場合と同様にして、第一データテーブル４１が参照され、最新の距離ｋである４００ｃｍに対応付けられたアプリケーションが選択される（Ｓ１１２）。つまり、スライドショーモードが選択され、設定記憶領域２３２に記憶される（Ｓ１１２）。
【０１２９】
次いで、入力手段データテーブル４２（図５参照）が参照され、最新の距離ｋである４００ｃｍに対応した入力手段が選択される。しかし、入力手段データテーブル４２において、４００ｃｍでは、入力手段を起動させないように設定されている。このため、タッチパネル１２やリモコン受信部１５が使用できるようになっていた場合には、タッチパネル１２やリモコン受信部１５の動作が停止される（Ｓ１１３）。これによって、消費電力を低減できる。
【０１３０】
次いで、第二データテーブル（図６参照）が参照され、最新の距離ｋである４００ｃｍに対応付けられたアイコンの大きさが選択される。図６に示すように距離ｋが３００ｃｍより大きい場合は、アイコンは非表示なので、「非表示」を示すデータが選択され、設定記憶領域２３２に追加記憶される（Ｓ１１４）。次いで、第三データテーブル４４（図７参照）が参照され、最新の距離ｋである４００ｃｍに対応付けられた文字の大きさである「４」が選択され、設定記憶領域２３２に追加記憶される（Ｓ１１５）。次いで、第四データテーブル４５（図８参照）が参照され、最新の距離ｋである４００ｃｍに対応付けられた音量である「３」が選択され、設定記憶領域２３２に記憶される（Ｓ１１６）。次いで、第五データテーブル４６（図９参照）が参照され、最新の距離ｋである４００ｃｍに対応付けられた輝度である「４」が選択され、設定記憶領域２３２に追加記憶される（Ｓ１１７）。
【０１３１】
次いで、Ｓ１１６の処理において選択され、設定記憶領域２３２に記憶された音量に基づいて、スピーカ１４から出力される音声の音量が設定される（Ｓ１１８）。これによって、ＣＰＵ２１は、音声ドライバ２８を制御して、Ｓ１１６において選択された音量である「３」に対応した音量で、スピーカ１４から音声を出力できるようになる。つまり、第一、第二具体例の場合に比べて、利用者と表示装置１との距離が離れているが、第一、第二具体例より大きい音量で音声を出力できるため、利用者が、音声を聞き取りやすくなる。
【０１３２】
次いで、設定記憶領域２３２に記憶された、Ｓ１１２、Ｓ１１４、Ｓ１１５、およびＳ１１７の処理において選択された各種の設定に基づいて、ディスプレイ１１にアプリケーションが表示される（Ｓ１１９）。これによって、利用者は、スライドショーモードを見ることができる。
【０１３３】
図１３を参照して、最新の距離ｋが４００ｃｍの場合における、Ｓ１１９の処理によって表示されるディスプレイ１１の表示の一例を説明する。図１３に示すように、ディスプレイ１１の上端のやや下側から下部にかけて、且つディスプレイ１１の左部から右部にかけて、メイン表示部５２が設けられている。メイン表示部５２には、予め設定されたメインアプリケーションであるスライドショーモードの写真が表示されている。ディスプレイ１１の左上部に設けられた時刻表示部５３には、現在の時刻「１２：００」が表示されている。また、時刻表示部５３の右側に設けられた名称表示部５４には、アプリケーションの名称である「スライドショーモード」が表示されている。なお、アイコン表示部５１（図１１および図１２参照）は、設けられていない。名称表示部５４と時刻表示部５３とに表示されている文字は、Ｓ１１５の処理によって選択された文字の大きさ「４」に対応する大きさで表示されている。つまり、図１２に示す最新の距離ｋが１２０ｃｍの場合の文字の大きさ「２」で表示されている場合に比べて、文字が大きくなっている。また、ディスプレイ１１は、Ｓ１１７の処理において選択された輝度である「４」に対応する輝度で表示されている。
【０１３４】
これによって、表示装置１は、利用者から表示装置１までの距離ｋである４００ｃｍに適した設定に設定される。つまり、利用者が、表示装置１まで４００ｃｍの距離にいる場合、メインアプリケーションであるスライドショーモードが起動され、自動で表示されるため、利用者がスライドショーモードを選択する作業が軽減される。また、スライドショーモードは、利用者が操作することが不要なアプリケーションであるが、タッチパネル１２およびリモコン受信部１５の動作が自動で停止される。このため、消費電力を低減することができる。
【０１３５】
また、第一、第二具体例の場合に比べて、利用者から表示装置１までの距離ｋが離れているが、文字が大きくなり、輝度も大きくなっているため、利用者は、ディスプレイ１１に表示されている内容を容易に確認することができる。
【０１３６】
以上説明したように、本実施形態のおけるメイン処理が行われ、各アプリケーションがディスプレイ１１に表示される。本実施形態によれば、利用者から表示装置１までの距離に応じて、アプリケーションが選択されて表示される。つまり、利用者から表示装置１までの距離に基づいて、アプリケーションが自動で変更される。
【０１３７】
本実施形態において、ディスプレイ１１が本発明の「表示手段」に相当し、利用者から表示装置までの距離ｋが本発明の「距離」に相当する。第一データテーブル４１が本発明の「第一データ」に相当し、第一データテーブル記憶領域２４２が本発明の「第一記憶手段」に相当する。図１０のＳ１０６とＳ１０８の処理で距離ｋを検出するＣＰＵ２１が本発明の「検出手段」に相当し、図１０のＳ１１２の処理を行うＣＰＵ２１が本発明の「選択手段」に相当する。図１０のＳ１１４、Ｓ１１５、およびＳ１１９を行うＣＰＵ２１が本発明の「画像表示手段」に相当し、タッチパネル１２、リモコン、およびリモコン受信部１５が本発明の「入力手段」に相当する。
【０１３８】
タッチパネル１２が本発明の「接触入力手段」に相当し、第一データテーブル４１における０≦ｋ≦１００ｃｍの範囲が本発明の「第一範囲」に相当する。リモコンおよびリモコン受信部１５が本発明の「非接触入力手段」に相当し、第一データテーブル４１における１００ｃｍ＜ｋ≦３００ｃｍの範囲が本発明の「第二範囲」に相当する。第一データテーブル４１におけるｋ＞３００ｃｍが本発明の「第三範囲」に相当し、第一データテーブル４１のメインアプリケーションが本発明の「一のアプリケーション」に相当する。第一データテーブル４１のアイコン表示アプリケーションが本発明の「他のアプリケーション」に相当し、第二データテーブル４３が本発明の「第二データ」に相当する。
【０１３９】
第二データテーブル記憶領域２４３が本発明の「第二記憶手段」に相当し、第三データテーブル４４が本発明の「第三データ」に相当する。第三データテーブル記憶領域２４４が本発明の「第三記憶手段」に相当し、第四データテーブル４５が本発明の「第四データ」に相当する。第四データテーブル記憶領域２４５が本発明の「第四記憶手段」に相当し、図１０のＳ１１６およびＳ１１８を行った後、音声をスピーカ１４から出力するＣＰＵ２１の処理が本発明の「出力手段」に相当する。第五データテーブル４６が本発明の「第五データ」に相当し、第五データテーブル記憶領域２４６が本発明の「第五記憶手段」に相当する。図１０のＳ１１７の処理と、Ｓ１１９の処理においてディスプレイ１１の輝度を設定する処理とを行うＣＰＵ２１が本発明の「輝度設定手段」に相当する。
【０１４０】
図１０のＳ１０６とＳ１０８の処理で距離ｋを検出する処理が本発明の「検出ステップ」に相当し、図１０のＳ１１２の処理が本発明の「選択ステップ」に相当する。図１０のＳ１１４、Ｓ１１５、およびＳ１１９の処理が本発明の「画像表示ステップ」に相当する。
【０１４１】
なお、本発明は本実施形態に限定されるものではなく、種々の変更が可能である。例えば、本実施形態では、接触入力手段としてタッチパネル１２を使用し、非接触入力手段としてリモコンを使用していたが、これに限定されない。例えば、接触入力手段として、操作用のボタンを表示装置１の前面に設けてもよい。また、非接触入力手段として音声認識機能を設けて、利用者の声によって、操作できるようにしてもよい。
【０１４２】
また、図４〜図９に示す各データテーブル４１〜４６は、それぞれ一種類だけ設けられていたが、これに限定されない。例えば、データテーブル４１〜４６が、初期設定としてＲＯＭ２２、もしくはフラッシュメモリ２４に記憶され、それとは別のデータテーブル４１〜４６を利用者が任意に設定できるようにしてもよい。そして、初期設定のデータテーブル４１〜４６を使用するか、利用者が任意に設定したデータテーブル４１〜４６を使用するかを、利用者が選べるようにしてもよい。また、例えば、各データテーブル４１〜４６が、それぞれ複数種類設けられてもよいし、さらにそれらを利用者が選択したり、設定したりできるようにしてもよい。
【０１４３】
また、ディスプレイ１１に、利用者が使用できる入力手段の種類を表示してもよい。この場合、利用者は、使用できる入力手段を容易に認識することができるので、さらに表示装置１の操作をしやすくなる。
【０１４４】
また、アプリケーションの種類も本実施の形態に限定されない。例えば、表計算ソフト等が使用できるようにしてもよい。
【０１４５】
また、図１０のＳ１１２〜Ｓ１１７の処理において、最新の距離ｋを用いて、各種の設定を選択したが、これに限定されない。例えば、距離ｋを測定した五回分の平均距離を求め、この平均距離を用いて、各種の設定を選択してもよい。
【０１４６】
また、利用者から表示装置１までの距離ｋを測定するために、超音波センサ１３を用いていたが、これに限定されない。例えば、ＣＣＤカメラを備え、画像処理によって、利用者と表示装置１までの距離ｋを測定してもよい。
【０１４７】
また、アプリケーション、入力手段、アイコン表示、文字の大きさ、音量、および輝度について、利用者から表示装置１までの距離に基づいて変更していたが、必ずしも全て変更する必要はない。例えば、第一データテーブル４１のみを備え、アプリケーションのみが変更されるように設定してもよい。また、アプリケーションに加え、入力手段、アイコン表示、文字の大きさ、音量、および輝度のうちの少なくとも一つが変更されるように設定してもよい。
【０１４８】
また、利用者から表示装置１までの距離に基づいて変更するのは、アプリケーション、入力手段、アイコン表示、文字の大きさ、音量、および輝度に限られない。例えば、利用者から表示装置１までの距離に基づいて、ディスプレイの表示の濃度や、ディスプレイのバックライトの色を変更してもよい。
【符号の説明】
【０１４９】
１    表示装置
１１    ディスプレイ
１２    タッチパネル
１３    超音波センサ
１４    スピーカ
１５    リモコン受信部
２１    ＣＰＵ
４１    第一データテーブル
４３    第二データテーブル
４４    第三データテーブル
４５    第四データテーブル
４６    第五データテーブル
２４２    第一データテーブル記憶領域
２４３    第二データテーブル記憶領域
２４４    第三データテーブル記憶領域
２４５    第四データテーブル記憶領域
２４６    第五データテーブル記憶領域
【図１】
2011138039.tif 000003
【図２】
2011138039.tif 000004
【図３】
2011138039.tif 000005
【図４】
2011138039.tif 000006
【図５】
2011138039.tif 000007
【図６】
2011138039.tif 000008
【図７】
2011138039.tif 000009
【図８】
2011138039.tif 000010
【図９】
2011138039.tif 000011
【図１０】
2011138039.tif 000012
【図１１】
2011138039.tif 000013
【図１２】
2011138039.tif 000014
【図１３】
2011138039.tif 000015